(57)【特許請求の範囲】
【請求項１】
階段状通路上の一部に設置された下端部組立枠と、この下端部組立枠上に積層された１個以上の中間部組立枠と、この中間部組立枠の最上部に積層された上端部組立枠とを有し、この上端部組立枠に、前記階段状通路の上方に位置する構造物体に係合する１個以上の転倒防止ポール装置を設けた高所作業足場装置において、
前記階段状通路が下方エスカレータの踏段からなり、前記構造物体がこの下方エスカレータの上方に位置する上方エスカレータからなるとともに、前記下端部組立枠のアップ側支持脚の下端が、前記下方エスカレータに設けられる踏段の前輪軸に固定され、かつ、前記下端部組立枠のダウン側支持脚の下端が、高さ調整装置を介して前記踏段上に載置固定され、
前記下端部組立枠、前記中間部組立枠および前記上端部組立枠の昇降口床側に、補助足場装置を着脱可能に取付けるとともに、この補助足場装置に、前記乗降口床に立設される補強脚を設けたことを特徴とする高所作業足場装置。
【請求項２】
階段状通路上の一部に設置された下端部組立枠と、この下端部組立枠上に積層された１個以上の中間部組立枠と、この中間部組立枠の最上部に積層された上端部組立枠とを有し、この上端部組立枠に、前記階段状通路の上方に位置する構造物体に係合する１個以上の転倒防止ポール装置を設けた高所作業足場装置において、
前記階段状通路が下方エスカレータの踏段からなり、前記構造物体がこの下方エスカレータの上方に位置する上方エスカレータからなるとともに、前記下端部組立枠のアップ側支持脚の下端が、前記下方エスカレータに設けられる踏段の前輪軸に固定され、かつ、前記下端部組立枠のダウン側支持脚の下端が、高さ調整装置を介して前記踏段上に載置固定され、
前記下端部組立枠は、前記踏段のうちアップ側の踏段上に立設される複数本の前記アップ側支持脚と、前記踏段のうちダウン側の踏段上に立設される複数個の前記ダウン側支持脚と、これらのアップ側支持脚およびダウン側支持脚の中間に固定される水平補強部材と、前記アップ側支持脚およびダウン側支持脚に固定される複数本の斜め補強部材と、前記アップ側支持脚およびダウン側支持脚の各上端部に固定される布枠と、この布枠の上面に取付けられる平坦状の足場板とを備え、使用後にこれらのアップ側支持脚、ダウン側支持脚、水平補強部材、斜め補強部材、布枠および足場板毎に分解可能な構成とし、
前記中間部組立枠は、前記アップ側支持脚の上端に連結される複数本のアップ側中間支持脚と、前記ダウン側支持脚の上端に連結される複数本のダウン側中間支持脚と、これらのアップ側中間支持脚およびダウン側中間支持脚に固定される水平補強部材と、前記アップ中間側支持脚およびダウン側中間支持脚の各上端部に固定される布枠と、この布枠の上面に取付けられる平坦状の足場板とを備え、使用後にこれらのアップ側中間支持脚、ダウン側中間支持脚、水平補強部材、斜め補強部材、布枠および足場板毎に分解可能な構成とし、
前記上端部組立枠は、前記アップ側中間支持脚の上端に連結される複数本のアップ側最上段支持脚と、前記ダウン側中間支持脚の上端に連結される複数個のダウン側最上段支持脚と、これらのアップ側最上段支持脚およびダウン側最上段支持脚の中間に固定される平坦状の最上段足場板と、前記アップ側最上段支持脚およびダウン側最上段支持脚の各上端部に固定される手摺枠と、前記アップ側最上段支持脚側に設けられる第１転倒防止ポール装置と、前記ダウン側最上段支持脚側に設けられる第２転倒防止ポール装置とを備え、使用後にこれらのアップ側最上段支持脚、ダウン側最上段支持脚、最上段足場板、手摺枠、第１転倒防止ポール装置、第２転倒防止ポール装置毎に分解可能な構成としたことを特徴とする高所作業足場装置。
【請求項３】
前記上端部組立枠の手摺枠が、それぞれ管材からなる水平手摺枠部および傾斜手摺枠部から構成され、この傾斜手摺枠部の所定位置に管材からなる水平手摺棒が固定されたことを特徴とする請求項２記載の高所作業足場装置。
【発明の詳細な説明】
【０００１】
【発明の属する技術分野】
本発明は、高所作業足場装置に係り、特に、建物の階段やエスカレータの踏段などの階段状通路の上方で高所作業を行なうのに好適な高所作業足場装置に関する。
【０００２】
【従来の技術】
一般に、上下方向に重ねて設置される複数台のエスカレータにおいては、上方に位置するエスカレータ（以下、上方エスカレータと称す）の底面に、下方に位置するエスカレータ（以下、下方エスカレータと称す）を照らす蛍光灯などの照明設備が設けられており、この照明設備の清掃、点検、改修、交換などの定期的な保守作業を行なう必要がある。
【０００３】
そこで従来、例えば特願平９−１６６０４５号に記載されているように、下方エスカレータの踏段上の一部に設置され、保守作業を行なう作業者が乗って保守作業を行なう高所作業足場装置が提案されている。
【０００４】
【発明が解決しようとする課題】
ところで、前述した従来の高所作業足場装置は、下方エスカレータの踏段から上方エスカレータの底面までの高さ（すなわち上下方向の間隔）が例えば８ｍ以上となる場合、当該高所作業足場装置の全高寸法を８ｍ以上として細長い形状となることから、このような高所作業足場装置の上端部に作業者が乗って保守作業を行なう際、作業者が高所作業足場装置から落下しないように注意を払いながら高所作業足場装置の上端部まで移動することが困難であるとともに、高所作業足場装置の上端部の揺れが大きくなりやすいという問題があった。さらに、高所作業足場装置の全高寸法が８ｍ以上あるため、高所作業足場装置を階段状通路上に設置したり、あるいは階段状通路上から撤去するのにかなりの労力を要するという問題もあった。
【０００５】
また、下方エスカレータの踏段から上方エスカレータの底面までの高さが異なる種々の現場があるため、これに対応するため専用の高所作業足場装置を用意する必要があった。
【０００６】
また、上方エスカレータの底面に設置される照明装置などの機器の保守作業を行なう場合、上方エスカレータの底面と高所作業足場装置の上端部とが踏段のアップ方向に向かって次第に狭くなるため、この狭い場所では高所作業足場装置の上端部に乗った作業者の姿勢が悪くなり、したがって、高所作業時の作業効率および安全性が劣るという問題もあった。
【０００７】
また、下方エスカレータの踏段のように移動可能な階段状通路である場合、この階段状通路に高所作業足場装置を固定しておき、階段状通路と一緒に高所作業足場装置を移動させることが保守作業の時間短縮のため要望されていた。
【０００８】
また、下方エスカレータの踏段上の一部に高所作業足場装置を設置した場合、前記の踏段から離れた乗降口床の上方における高所で照明装置などの保守作業を行なおうとしても作業者の手が届かないという問題もあった。
【００１１】
本発明は、このような従来技術における実情に鑑みてなされたもので、その目的は、エスカレータの踏段上に設置した高所作業足場装置を解体することなく、踏段と一緒に移動させることができ、しかもその際に転倒事故を防止することのできる高所作業足場装置を提供することにある。
【００２０】
【課題を解決するための手段】
上記目的を達成するため、本発明の請求項１に係る発明は、階段状通路上の一部に設置された下端部組立枠と、この下端部組立枠上に積層された１個以上の中間部組立枠と、この中間部組立枠の最上部に積層された上端部組立枠とを有し、この上端部組立枠に、前記階段状通路の上方に位置する構造物体に係合する１個以上の転倒防止ポール装置を設けた高所作業足場装置において、前記階段状通路が下方エスカレータの踏段からなり、前記構造物体がこの下方エスカレータの上方に位置する上方エスカレータからなるとともに、前記下端部組立枠のアップ側支持脚の下端が、前記下方エスカレータに設けられる踏段の前輪軸に固定され、かつ、前記下端部組立枠のダウン側支持脚の下端が、高さ調整装置を介して前記踏段上に載置固定され、前記下端部組立枠、前記中間部組立枠および前記上端部組立枠の昇降口床側に、補助足場装置を着脱可能に取付けるとともに、この補助足場装置に、前記乗降口床に立設される補強脚を設けた構成にしてある。
【００２１】
このように構成した本発明は、下端部組立枠のアップ側支持脚の下端を踏段の前輪軸に固定することにより、下端部組立枠が下方エスカレータに連動可能であるとともに、踏段の段差に合わせてダウン側支持脚の下方に設けた高さ調整装置を作動させることにより、下端部組立枠を所定の状態を保つことができる。この状態で、エスカレータの踏段上に設置した高所作業足場装置を解体することなく踏段と一緒に移動できるとともに、その際に高所作業足場装置の転倒を防止できる。また、下端部組立枠、中間部組立枠および上端部組立枠の乗降口床側に取付けた補助足場装置に作業者が乗り込むことにより、下方エスカレータの踏段から離れた乗降口床の上方における高所で照明装置などの保守作業を行なえる。
【００２４】
また、上記目的を達成するため、本発明の請求項２に係る発明は、階段状通路上の一部に設置された下端部組立枠と、この下端部組立枠上に積層された１個以上の中間部組立枠と、この中間部組立枠の最上部に積層された上端部組立枠とを有し、この上端部組立枠に、前記階段状通路の上方に位置する構造物体に係合する１個以上の転倒防止ポール装置を設けた高所作業足場装置において、前記階段状通路が下方エスカレータの踏段からなり、前記構造物体がこの下方エスカレータの上方に位置する上方エスカレータからなるとともに、前記下端部組立枠のアップ側支持脚の下端が、前記下方エスカレータに設けられる踏段の前輪軸に固定され、かつ、前記下端部組立枠のダウン側支持脚の下端が、高さ調整装置を介して前記踏段上に載置固定され、前記下端部組立枠は、前記踏段のうちアップ側の踏段上に立設される複数本の前記アップ側支持脚と、前記踏段のうちダウン側の踏段上に立設される複数個の前記ダウン側支持脚と、これらのアップ側支持脚およびダウン側支持脚の中間に固定される水平補強部材と、前記アップ側支持脚およびダウン側支持脚に固定される複数本の斜め補強部材と、前記アップ側支持脚およびダウン側支持脚の各上端部に固定される布枠と、この布枠の上面に取付けられる平坦状の足場板とを備え、使用後にこれらのアップ側支持脚、ダウン側支持脚、水平補強部材、斜め補強部材、布枠および足場板毎に分解可能な構成とし、前記中間部組立枠は、前記アップ側支持脚の上端に連結される複数本のアップ側中間支持脚と、前記ダウン側支持脚の上端に連結される複数本のダウン側中間支持脚と、これらのアップ側中間支持脚およびダウン側中間支持脚に固定される水平補強部材と、前記アップ中間側支持脚およびダウン側中間支持脚の各上端部に固定される布枠と、この布枠の上面に取付けられる平坦状の足場板とを備え、使用後にこれらのアップ側中間支持脚、ダウン側中間支持脚、水平補強部材、斜め補強部材、布枠および足場板毎に分解可能な構成とし、前記上端部組立枠は、前記アップ側中間支持脚の上端に連結される複数本のアップ側最上段支持脚と、前記ダウン側中間支持脚の上端に連結される複数個のダウン側最上段支持脚と、これらのアップ側最上段支持脚およびダウン側最上段支持脚の中間に固定される平坦状の最上段足場板と、前記アップ側最上段支持脚およびダウン側最上段支持脚の各上端部に固定される手摺枠と、前記アップ側最上段支持脚側に設けられる第１転倒防止ポール装置と、前記ダウン側最上段支持脚側に設けられる第２転倒防止ポール装置とを備え、使用後にこれらのアップ側最上段支持脚、ダウン側最上段支持脚、最上段足場板、手摺枠、第１転倒防止ポール装置、第２転倒防止ポール装置毎に分解可能な構成としてある。
【００２５】
このように構成した本発明の請求項２に係る発明では、下端部組立枠のアップ側支持脚の下端を踏段の前輪軸に固定することにより、下端部組立枠が下方エスカレータに連動可能であるとともに、踏段の段差に合わせてダウン側支持脚の下方に設けた高さ調整装置を作動させることにより、下端部組立枠を所定の状態を保つことができる。この状態で、エスカレータの踏段上に設置した高所作業足場装置を解体することなく踏段と一緒に移動できるとともに、その際に高所作業足場装置の転倒を防止できる。また、保守作業に使用した後、下端部組立枠、中間部組立枠および上端部組立枠をそれぞれ構成部材毎に分解できるので簡単に解体して撤去できる。
【００２６】
また、上記目的を達成するため、本発明の請求項３に係る発明は、上記請求項２に係る発明において、前記上端部組立枠の手摺枠は、それぞれ管材からなる水平手摺枠部および傾斜手摺枠部から構成され、この傾斜手摺枠部の所定位置に管材からなる水平手摺棒が固定された構成にしてある。
【００３０】
【発明の実施の形態】
以下、本発明の高所作業足場装置の実施の形態を図面に基づいて説明する。
図１は本発明の一実施形態に係る高所作業足場装置の説明図、図２は図１の高所作業足場装置とともに用いられる親綱固定架台の正面図、図３は親綱固定架台の側面図、図４は図１の高所作業足場装置の構成を示す側面図、図５は図１の高所作業足場装置の構成を示す正面図、図６は本実施形態に設けられる下端部組立枠の側面図、図７は本実施形態に設けられる下端部組立枠および中間部組立枠の側面図、図８は本実施形態に設けられる中間部組立枠および上端部組立枠の側面図、図９は本実施形態に設けられる上端部組立枠の側面図、図１０は上端部組立枠の正面図、図１１は上端部組立枠の斜視図、図１２は下端部組立枠に設けられるアップ側支持脚の下部の正面図、図１３はアップ側支持脚の下部を拡大して示す側面図、図１４は図１の高所作業足場装置の上端部で保守作業を行なう状態を示す説明図、図１５は図１の高所作業足場装置に設けられる補助足場装置の側面図である。
【００３１】
図１に示す下方エスカレータ１の約８ｍ上方には、上方エスカレータ２が設置されている。下方エスカレータ１は、上部トラス３、中間トラス４および下部トラス５を有しており、上部トラス３には駆動機６および主駆動装置７が収納され、下部トラス５には踏段用鎖歯車８が収納されている。これらの主駆動装置７および踏段用鎖歯車８間で無端状に連結される複数個の踏段９が回動し、その際に踏段９上に設けられる移動手摺１０が同期して回動する。駆動機６は駆動チェーン１１を介して主駆動装置７を駆動し、この主駆動装置７は踏段チェーン１２を駆動するとともに移動手摺チェーン１３を駆動している。踏段用鎖歯車８には、踏段チェーン１２が弛まないようにする踏段用鎖展張装置１４が設けられるとともに、踏段用鎖歯車８の上部に設けられる手摺張り車１５によって移動手摺１０が弛まないようにしている。また、上方エスカレータ２の底面には、下方エスカレータ１を照らす蛍光灯などの照明灯１６が設置されている。
【００３２】
このような照明灯１６の交換、清掃、点検などの保守作業を行なう際、同図１に示すように、下方エスカレータ１と上方エスカレータ２との間に保守作業用安全装置１７が設置される。この保守作業用安全装置１７は、本実施形態の高所作業足場装置１８と、上方エスカレータ２の乗降口２Ａ、２Ｂにそれぞれ設置した親綱固定架台１９、２０とを備えている。これらの親綱固定架台１９、２０間には、ナイロン入り綿ロープからなる第１親綱２１および第３親綱２４のそれぞれが張設されており、第１親綱２１からナイロン入り綿ロープからなる第２親綱２２が垂下され、この第２親綱２２に、高所作業足場装置１８上の作業者Ａに装着される命綱２３が取付けられている。一方、第３親綱２４からウインチ用親綱２５が垂下され、このウインチ用親綱２５にウインチ２６を介して収納かご２７が取付けられている。
【００３３】
親綱固定架台１９、２０は、図２および図３に示すように、機械室開口２８の縁部のフレーム２９、２９Ａに固定される固定フレーム３０、３０Ａ、３０Ｂ、３０Ｃと、これらのうち固定フレーム３０、３０Ｂ上に立設される垂直枠３１と、この垂直枠３１を支えるとともに、固定フレーム３０Ａ、３０Ｃに固定される支えフレーム３２と、垂直枠３１に設けられる補強用斜めフレーム３３と、垂直枠３１から突出する親綱取付部３４とから構成されている。垂直枠３１は、１本の上辺部材３１Ａと、この上辺部材３１Ａの両端に連結され、互いに平行な一対の側辺部材３１Ｂ、３１Ｃとからなり、この垂直枠３１は上辺部材３１Ａおよび側辺部材３１Ｂ、３１Ｃに分解可能である。なお、前記の機械室開口２８は、上方エスカレータ２の乗降口２Ａ、２Ｂに設けられている。
【００３４】
そして、本実施形態の高所作業足場装置１８は、図４および図５に示すように、下端部組立枠３５と、この下端部組立枠３５上に積層固定される３段の中間部組立枠３６、３６Ａ、３６Ｂと、これらのうち３段目（上段）の中間部組立枠３６Ｂに積層固定される上端部組立枠３７とから主として構成されている。
【００３５】
下端部組立枠３５は、図６に示すように、少なくとも２本の鋼管からなり、下方エスカレータ１の踏段９の前輪軸９Ａに下端が固定されるアップ側支持脚３８と、ジャッキ機構などの高さ調整装置４３を介して踏段９上に下端が載置されるダウン側支持脚３９と、これらの支持脚３８、３９の各上端に固定され、鋼管からなる布枠４０と、複数本の鋼管からなり、支持脚３８、３９の中間に固定される斜め補強部材４１と、鋼管からなり、支持脚３８、３９の中間に固定される水平補強部材４０Ａと、平坦状の木製合板からなり布枠４０の上面にボルト止めされる足場板４２とから構成されており、この下端部組立枠３５は使用後、アップ側支持脚３８、ダウン側支持脚３９、布枠４０、水平補強部材４０Ａ、斜め補強部材４１、足場板４２、および高さ調整装置４３毎に分解可能である。また、隣合う２本のダウン側支持脚３９間には、鋼管からなり梯子状に形成される横桟３８Ａが複数本設けられており、足場板４２には、アップ側支持脚３８寄りに位置する昇降口４２Ａと、この昇降口４２Ａを塞ぐ蓋４２Ｂとが設けられており、この蓋４２Ｂには不用意に開くことがないよう図示しない固定バンドあるいはロック機構が設けられている。高さ調整装置４３には、図示しない落下防止用ワイヤが設けられており、この高さ調整装置４３を操作してダウン側支持脚３９の高さ位置を変更することにより、足場板４２の上面を水平な状態にする。なお、ダウン側支持脚３９の高さ寸法Ｌ１は、例えば約１９６５ｍｍに設定されている。
【００３６】
１段目の中間部組立枠３６は、図７に示すように、アップ側支持脚３８の上端に差込まれる２本の鋼管からなるアップ側中間支持脚４４と、ダウン側支持脚３９の上端に差込まれる２本の鋼管からなるダウン側中間支持脚４５と、これらの支持脚４４、４５の中間に固定された複数本の鋼管からなる斜め補強部材４６と、支持脚４４、４５の各上端に固定された複数本の鋼管からなる布枠４７と、支持脚４４、４５の中間に固定された複数本の鋼管からなる水平補強部材４７Ａと、平坦状の木製合板からなり布枠４７の上面にボルト止めされる足場板４８とから構成されており、この中間部組立枠３６は使用後、アップ側中間支持脚４４、ダウン側中間支持脚４５、斜め補強部材４６、布枠４７、水平補強部材４７Ａ、および足場板４８毎に分解可能である。また、隣合う２本のアップ側中間支持脚４４間には、鋼管からなり梯子状に形成される横桟４４Ａが複数本設けられ、同様に、２本のダウン側中間支持脚４５間には、鋼管からなり梯子状に形成される横桟４５Ａが複数本設けられており、足場板４８には、ダウン側中間支持脚４５寄りに位置する昇降口４８Ａと、この昇降口４８Ａを塞ぐ蓋４８Ｂとが設けられており、この蓋４８Ｂにも不用意に開くことがないよう図示しない固定バンドあるいはロック機構が設けられている。なお、ダウン側中間支持脚４５の高さ寸法Ｌ２は、約１５２０ｍｍに設定されている。
【００３７】
１段目の中間部組立枠３６上には、図８に示すように、２段目の中間部組立枠３６Ａ、および３段目の中間部組立枠３６Ｂが順次積み重ねられる。１段目の中間部組立枠３６上に２段目の中間部組立枠３６Ａを積み重ねる際、アップ側支持脚３８の上端にアップ側中間支持脚４４の下端を差込むとともに、ダウン側支持脚３９の上端にダウン側中間支持脚４５の下端を差込んだ後、それぞれパイプロックのロック機構で固定し、同様にして、２段目の中間部組立枠３６Ａ上に３段目の中間部組立枠３６Ｂを積み重ねる。２段目の中間部組立枠３６Ａは、１段目の中間部組立枠３６とほぼ同様な構造を有し、アップ側中間支持脚４４、ダウン側中間支持脚４５、斜め補強部材４６、布枠４７、水平補強部材４７Ａ、および足場板４８からなっている。この中間部組立枠３６Ａの足場板４８には、アップ側中間支持脚４４寄りに位置する昇降口４８Ａ−１と、この昇降口４８Ａ−１を塞ぐ蓋４８Ｂ−１とが設けられており、この蓋４８Ｂ−１にも不用意に開くことがないよう図示しない固定バンドあるいはロック機構が設けられている。３段目の中間部組立枠３６Ｂも、１段目の中間部組立枠３６とほぼ同様な構造を有し、アップ側中間支持脚４４、ダウン側中間支持脚４５、斜め補強部材４６、布枠４７、水平補強部材４７Ａ、および足場板４８からなっている。この中間部組立枠３６Ｂの足場板４８には、アップ側中間支持脚４４寄りに位置する昇降口４８Ａ−２と、この昇降口４８Ａ−２を塞ぐ蓋４８Ｂ−２とが設けられており、この蓋４８Ｂ−２にも不用意に開くことがないよう図示しない固定バンドあるいはロック機構が設けられている。
【００３８】
上端部組立枠３７は、図８〜図１１に示すように、アップ側中間支持脚４４の上端に差込まれ、図示しないパイプクリックのロック機構で固定される２本の鋼管なるアップ側最上段支持脚４９と、ダウン側中間支持脚４５の上端に差込まれ、図示しないパイプクリックのロック機構で固定される２本の鋼管からなるダウン側最上段支持脚５０と、平坦状の木製合板からなり支持脚４９、５０の中間に固定された最上段足場板５１と、鋼管からなり支持脚４９、５０の各上端に固定された手摺枠５２と、アップ側最上段支持脚４９側に設けられる第１転倒防止ポール装置５３と、ダウン側最上段支持脚５０側に設けられる第２転倒防止ポール装置５４とから構成されており、この上端部組立枠３７は使用後、アップ側最上段支持脚４９、ダウン側最上段支持脚５０、最上段足場板５１、手摺枠５２、第１転倒防止ポール装置５３、第２転倒防止ポール装置５４毎に分解可能である。隣合う２本のアップ側最上段支持脚４９間には、鋼管からなり梯子状に形成される横桟４９Ａが複数本設けられ、同様に、２本のダウン側最上段支持脚５０間には、鋼管からなり梯子状に形成される横桟５０Ａが複数本設けられており、最上段足場板５１は、アップ側最上段支持脚４９寄りに配置され、ダウン側最上段支持脚５０寄りには昇降口５１Ａが設けられている。なお、上端部組立枠３７のアップ側最上段支持脚４９の高さ寸法Ｌ３は、約１５２０ｍｍに設定されている。
【００３９】
手摺枠５２は、図１１に示すように、踏段９の移動方向に沿って互いに平行に配置される２組の水平手摺枠部５２Ａおよび傾斜手摺枠部５２Ｂからなり、この２組の傾斜手摺枠部５２Ｂの所定位置に、水平手摺棒５５が固定されている。これらの水平手摺枠部５２Ａ、傾斜手摺枠部５２Ｂおよび水平手摺棒５５はそれぞれ鋼管などの管材から形成されており、傾斜手摺枠部５２Ｂの傾斜角度は、図８および図９に示すように、上方エスカレータ２の底面の傾斜角度とほぼ同等に設定されている。
【００４０】
最上段足場板５１に隣接する位置には、図８、図９および図１１に示すように、中間部組立枠３６Ｂの足場板４８の上に立って作業者が照明灯１６の交換、清掃、点検などの保守作業を行なえるように前記の昇降口５１Ａが形成されている。最上段足場板５１の全周端縁には、木製合板からなる幅木５６が固定されており、同様に、中間部組立枠３６Ｂの足場板４８の全周端縁にも、木製合板からなる幅木５６が固定されている。
【００４１】
第１転倒防止ポール装置５３は、図１１に示すように、アップ側最上段支持脚４９側の端部中央に立設されるＴ字状の第１ポール体５７と、この第１ポール体５７の左右両側にそれぞれ伸縮自在に取付けられるＬ字状の第１揺れ防止部材５８、５９と、これらの第１揺れ防止部材５８、５９にそれぞれ立設されるゴム製の第１弾性部材６０、６１とからなり、これらの第１ポール体５７、第１揺れ防止部材５８、５９はそれぞれ鋼管などの管材から形成されている。この第１転倒防止ポール装置５３は、第１ポール体５７を横桟４９Ａおよび手摺枠５２のアップ側に図示しないクランプを用いて高さ位置調整可能に取付けることにより、上端部組立枠３７に対して装着される。この状態で、第１揺れ防止部材５８、５９の第１ポール体５７に対する取付位置を調整することで第１揺れ防止部材５８、５９の水平方向の長さを変え、すなわち、第１揺れ防止部材５８、５９を伸縮することにより、第１弾性部材６０、６１をそれぞれ上方エスカレータ２の外側板２Ｃ、２Ｄに接触させるようになっている。
【００４２】
同様に、第２転倒防止ポール装置５４も、ダウン側最上段支持脚５０側の端部中央に立設されるＴ字状の第２ポール体６２と、この第２ポール体６２の左右両側にそれぞれ伸縮自在に取付けられるＬ字状の第２揺れ防止部材６３、６４と、これらの第２揺れ防止部材６３、６４にそれぞれ立設されるゴム製の第２弾性部材６５、６６とからなっており、これらの第２ポール体６２および第２揺れ防止部材６３、６４はそれぞれ鋼管などの管材から形成されている。この第２転倒防止ポール装置５３は、第２ポール体６２を横桟５０Ａおよび手摺枠５２のダウン側に図示しないクランプを用いて高さ位置調整可能に取付けることにより、上端部組立枠３７に対して装着される。この状態で、第２揺れ防止部材６３、６４の第２ポール体６２に対する取付位置を調整することで第２揺れ防止部材６３、６４の水平方向の長さを変え、すなわち、第２揺れ防止部材６３、６４を伸縮することにより、第２弾性部材６５、６６をそれぞれ上方エスカレータ２の外側板２Ｃ、２Ｄに接触させるようになっている。
【００４３】
下端部組立枠３５のアップ側支持脚３８の下端には、図１２および図１３に示すように、前輪軸用クランプ６７が脱着可能に取付けられており、この前輪軸用クランプ６７を踏段９の前輪軸９Ａに係止した後、蝶ナット６８を締込むことにより、アップ側支持脚３８の下端が踏段９の前輪軸９Ａに固定される。その際、前輪軸用クランプ６７と一体的に設けたレールブラケット６９を、踏段９の図示しない後輪レール裏面側に係止させることにより、当該高所作業足場装置１８の転倒防止を図っている。前記のレールブラケット６９には、図示しない落下防止用のワイヤが設けられている。また、図示を省略したが、ダウン側支持脚３９の下端に取付けた高さ調整装置４３の底面には所定形状の凹凸部が形成されており、この凹凸部が踏段９の踏面の凹凸に噛み合うことによって、高さ調整装置４３およびダウン側支持脚３９が踏段９に対して強固に支持されるようにしている。
【００４４】
下端部組立枠３５および上端部組立枠３７間には、図５に示すようにアップ側とダウン側とでラッシングベルトなどの一対のワイヤ７０がいわゆるたすき掛けされるとともに、図４に示すように両側部でも一対のワイヤ７１がたすき掛けされており、これらのワイヤ７０、７１の各端部を取付ける取付金具７２が下端部組立枠３５の支持脚３８、３９と上端部組立枠３７の支持脚４９、５０とにそれぞれ固定されている。
【００４５】
図１５に示すように、上記のようにして組立てた下端部組立枠３５、中間部組立枠３６、３６Ａ、３６Ｂ、および上端部組立枠３７の昇降口床７５側には補助足場装置７３が着脱可能に取付けられ、一端が高さ調整装置７３Ａを介して昇降口床７５上に載置されている。この補助足場装置７３の一端側に、高さ調整装置７４Ａを介して昇降口床７５に立設される補強脚７４が設けられている。なお、補助足場装置７３の上部は上端部組立枠３７と類似した構造であるとともに、補助足場装置７３の上部以外の部分は中間部組立枠３６と類似した構造である。
【００４６】
この実施形態にあっては、例えば、上方エスカレータ２の照明灯１６の保守作業を行なう場合、図１に示すように、親綱固定架台１９、２０を上方エスカレータ２の乗降口２Ａ、２Ｂにそれぞれ固定した後、親綱固定架台１９、２０間に第１親綱２１および第３親綱２４を張設するとともに、第１親綱２１より第２親綱２２を垂下し、第３親綱２４よりウインチ用親綱２５を垂下する。そして、次の手順（１）〜（８）にしたがって当該高所作業足場装置１８を下方エスカレータ１と上方エスカレータ２との間に設置するようになっている。すなわち、まず踏段９上への下端部組立枠３５の組立工程として、（１）アップ側支持脚３８を立設して各下端を前輪軸用クランプ６７および蝶ナット６８を用いて踏段９の前輪軸９Ａに固定するとともに、ダウン側支持脚３９の下端に高さ調整装置４３を取付けて立設し、（２）アップ側支持脚３８とダウン側支持脚３９に布枠４０および斜め補強部材４１を取付けるとともに、アップ側支持脚３８とダウン側支持脚３９の上部に布枠４０を利用して足場板４２を載置固定し、その際、高さ調整装置４３の操作により足場板４２の上面を水平にする。このようにして、踏段９上への下端部組立枠３５の組立が完了する。
【００４７】
次いで、下端部組立枠３５上への中間部組立枠３６、３６Ａ、３６Ｂの組立工程として、（３）前記のアップ側支持脚３８とダウン側支持脚３９上に、それぞれ１段目の中間部組立枠３６のアップ側中間支持脚４４とダウン側中間支持脚４５を立設してパイプクリップのロック機構で固定した後、これらのアップ側中間支持脚４４とダウン側中間支持脚４５に斜め補強部材４６および布枠４７を取付けるとともに、アップ側中間支持脚４４とダウン側中間支持脚４５の上部に布枠４７を利用して足場板４８を載置固定する。このとき、昇降口４８Ａがダウン側中間支持脚４４寄りに位置するように足場板４８を配置する。同様にして（４）中間部組立枠３６上に２段目の中間部組立枠３６Ａを組立てて、この中間部組立枠３６Ａの昇降口４８Ａ−１がアップ側中間支持脚４４寄りに位置するように足場板４８を配置し、（５）中間部組立枠３６Ａ上に３段目の中間部組立枠３６Ｂを組立てて、この中間部組立枠３６Ｂの昇降口４８Ａ−２がダウン側中間支持脚４５寄りに位置するように足場板４８を配置するとともに、中間部組立枠３６Ｂの足場板４８の全周に幅木５６を固定する。このようにして、下端部組立枠３５上への中間部組立枠３６、３６Ａ、３６Ｂの組立が完了する。
【００４８】
次いで、中間部組立枠３６Ｂ上への上端部組立枠３７の組立工程として、（６）前記のアップ側中間支持脚４４とダウン側中間支持脚４５上に、それぞれ上端部組立枠３７のアップ側最上段支持脚４９とダウン側最上段支持脚５０を立設してパイプクリップのロック機構で固定した後、これらのアップ側最上段支持脚４９とダウン側最上段支持脚５０の中間に最上段足場板５１を取付けるとともに、アップ側最上段支持脚４９とダウン側最上段支持脚５０の上部に手摺枠５２を取付ける。その後、この手摺枠５２に水平手摺棒５５を取付け、最上段足場板５１の周囲に幅木５６を固定する。
【００４９】
次に（７）第１転倒防止ポール装置５３の第１ポール体５７および第２転倒防止ポール装置５４の第２ポール体６２をクランプで仮止めした後、第１ポール体５７に第１揺れ防止部材５８、５９を取付け、第２ポール体６２に第２揺れ防止部材６３、６４を取付けた後、第１揺れ防止部材５８、５９の横方向（水平方向）の長さを調整することにより、第１揺れ防止部材５８、５９に予め固定した第１弾性部材６０、６１をそれぞれ上方エスカレータ２の外側板２Ｃ、２Ｄに当接させ、同様にして、第２揺れ防止部材６３、６４の横方向（水平方向）の長さを調整することにより、第２揺れ防止部材６３、６４に予め固定した第２弾性部材６３、６４をそれぞれ上方エスカレータ２の外側板２Ｃ、２Ｄに当接させる。その後、第１ポール体５７を上端部組立枠３７のアップ側最上段支持脚４９側にクランプで本固定し、第２ポール体６２を上端部組立枠３７のダウン側最上段支持脚５０側にクランプで本固定する。このようにして、中間部組立枠３６Ｂ上への上端部組立枠３７の組立を完了する。
【００５０】
最後に、（８）吊りワイヤ７０、７１をワイヤ取付金具７２を利用して下端部組立枠３５および上端部組立枠３７間に張設することにより、当該高所作業足場装置１８の剛性を向上させる。これにより、当該高所作業足場装置１８を下方エスカレータ１と上方エスカレータ２との間に設置する作業が完了する。
【００５１】
このようにして設置した高所作業足場装置１８を用いて上方エスカレータ２の底面に設けられる照明灯１６などの保守作業を行なう場合、作業者Ａは、下端部組立枠３５の昇降口４２Ａ、中間部組立枠３６の昇降口４８Ａ、中間部組立枠３６Ａの昇降口４８Ａ−１、中間部組立枠３６Ｂの昇降口４８Ａ−２の順で通り抜けて、最後に最上段足場５１の開口部５１Ａから最上段足場５１上に乗り込む。その際、前記の昇降口４２Ａ、４８Ａ、４８Ａ−１、４８Ａ−２を通り抜けるごとにを蓋４２Ｂ、４８Ｂ、４８Ｂ−１、４８Ｂ−２で各昇降口４２Ａ、４８Ａ、４８Ａ−１、４８Ａ−２を塞ぐようにしている。このようにして作業者Ａが最上段足場５１上面に乗り込み、あるいは図１４の一点鎖線で示すように作業者Ａが中間部組立枠３６Ｂの足場４８上面に乗り込んで、立った状態で上方エスカレータ２に底面に設けられる照明灯１６の保守作業を行なう。
【００５２】
また、上記のようにして下方エスカレータ１と上方エスカレータ２との間に設置した高所作業足場装置１８を移動手摺１０の長手方向に移動させるには、第１揺れ防止部材５８、５９の横方向（水平方向）の長さを調整することにより、第１弾性部材６０、６１が上方エスカレータ２の外側板２Ｃ、２Ｄに当接した状態を解除し、同様にして、第２弾性部材６３、６４が外側板２Ｃ、２Ｄに当接した状態を解除した後、踏段９を低速で移動させることにより、高所作業足場装置１８が踏段９間の段差が一定である部分、すなわち下方エスカレータ１の直線部分を移動する。
【００５３】
また、踏段９から離れた昇降口床７５の上方の高所で保守作業を行なう場合、図１５に示すように、下方エスカレータ１の直線部分の下端まで高所作業足場装置１８を移動させた後、この高所作業足場装置１８の乗降口床７５側（図１５の右側）に補助足場装置７３を取付け、その外側の下端を高さ調整装置７３Ａを介して昇降口床７５上に載置するとともに、この補助足場装置７３の外側の下部に補強脚７４を取付け、この補強脚７４の下端も高さ調整装置７４Ａを介して昇降口床７５上に載置する。このようにして、高所作業足場装置１８の乗降口７５側に補助足場装置７３を装着した後、この補助足場装置７３の上部に作業者Ａが乗り込み、昇降口床７５の上方の高所で保守作業を行なう。
【００５４】
このようにして保守作業を行なった後、補助足場装置７３を取外すとともに、上述した手順（１）〜（８）と逆の手順で前記の高所作業足場装置１８を解体するようになっている。その際、上端部組立枠３７を少なくともアップ側最上段支持脚４９、ダウン側最上段支持脚５０、最上段足場板５１、手摺枠５２、第１転倒防止ポール装置５３、第２転倒防止ポール装置５４、水平手摺棒５５および幅木５６毎に分解し、中間部組立枠３６、３６Ａ、３６Ｂをそれぞれ少なくともアップ側中間支持脚４４、ダウン側中間支持脚４５、斜め補強部材４６、布枠４７、水平補強部材４７Ａ、および足場板４８毎に分解し、下端部組立枠３５をアップ側支持脚３８、ダウン側支持脚３９、布枠４０、水平補強部材４０Ａ、斜め補強部材４１および足場板４２毎に分解する。その後、これらの分解した構成部材を複数台の運搬パレットで所定の場所に運搬して保管する。
【００５５】
このように構成した実施形態では、上端部組立枠３７が第１転倒防止ポール装置５３および第２転倒防止ポール装置５４を介して踏段９の上方に位置する上方エスカレータ２に支持されるので、当該高所作業足場装置１８の揺れおよび転倒を防止できる。特に、第１転倒防止ポール装置５３の第１揺れ防止部材５８、５９および第２転倒防止ポール装置５４の第２揺れ防止部材６３、６４により上方エスカレータ２の外側板２Ｃ、２Ｄを抱き込む形態にしてあるので、踏段９の移動方向に対して直角の方向へ上端部組立枠３７が揺れることを確実に阻止できる。
【００５６】
また、この実施形態では、中間部組立枠３６、３６Ａ、３６Ｂの積層数を変更することによって、当該高所作業足場装置１８の全高寸法が調整可能であるので、１台の高所作業足場装置１８により、下方エスカレータ１の踏段９から上方エスカレータ２の底面までの高さが異なる複数の現場に対応できる。
【００５７】
また、この実施形態では、上方エスカレータ２の底面と高所作業足場装置１８の上端部とがアップ方向に向かって次第に狭くなる作業空間であっても、作業者Ａが最上段足場５１上面に乗り込み、あるいは図１４の一点鎖線で示すように作業者Ａが中間部組立枠３６Ｂの足場４８上面に乗り込んで、立った状態で上方エスカレータ２の底面に設けられる照明灯１６の保守作業を行なうことにより、作業者Ａの作業姿勢を良好なものに保つことができるので、高所作業足場装置１８の上端部で安全に、かつ円滑に保守作業を行なえる。
【００５８】
また、この実施形態では、アップ側支持脚３８の下端を踏段９の前輪軸９Ａに固定することにより、下端部組立枠３５を下方エスカレータ１と連動可能とするとともに、踏段９の段差に合わせてダウン側支持脚３９の下端の高さ調整装置４３を作動させることにより下端部組立枠３５を所定の状態を保つことができ、この状態で、下方エスカレータ１の踏段９上で設置した高所作業足場装置１８を解体することなく、踏段９と一緒に移動でき、その際に、高所作業足場装置１８の転倒を防止できる。
【００５９】
また、この実施形態では、高所作業足場装置１８の乗降口床７５側に設けられる補助足場装置７３に作業者が乗り込むことにより、下方エスカレータ１の踏段９から離れた乗降口床７５の上方の高所で照明灯１６などに容易に手が届くので、安全、かつ円滑に保守作業を行なうことができる。
【００６０】
また、この実施形態では、保守作業に使用した後、下端部組立枠３５、中間部組立枠３６、３６Ａ、３６Ｂおよび上端部組立枠３７をそれぞれ構成部材毎に分することにより簡単に解体でき、運搬に便利である。
【００６１】
また、この実施形態では、上端部組立枠３７の傾斜手摺枠部５２Ｂの所定位置、例えば、中間部組立枠３６Ｂの足場板４８からの高さが９００ｍｍ以上となる位置に水平手摺棒５５を設置することにより、安全衛生法による要求を満たし、上端部で作業する際に作業者の安全性を向上できる。
【００６２】
また、この実施形態では、作業者が下端部組立枠３５から中間部組立枠３６に昇降する際、昇降口４２Ａを介して下端部組立枠３５内を移動するので、この作業者の昇降に伴う下端部組立枠３５の揺れを少なくでき、他の中間部組立枠３６Ａ、３６Ｂおよび上端部組立枠３７に関しても同様であり、作業者の昇降に伴う揺れを少なくできる。その際、踏段９のアップ側およびダウン側に交互に配置した昇降口４２Ａ、４８Ａ−１、４８Ａ−２、４８Ａ−３、５１Ａを介してジグザグに順次移動しながら、蓋４２Ｂ、４８Ｂ−１、４８Ｂ−２、４８Ｂ−３を締めるので、作業者が高所作業足場装置１８の上端部まで落下しないよう安全に、かつ円滑に移動できる。
【００６３】
また、この実施形態では、上方エスカレータ２の乗降口２Ａ、２Ｂに固定した親綱固定架台１９、２０間に張設した第１親綱２１より第２親綱２２を垂下することにより、この第２親綱２２に対して高所作業足場装置１８上の作業者用の命綱２３を簡単に装着できるとともに、同様に、第３親綱２４よりウインチ用親綱２５を垂下することにより、このウインチ用親綱２５に対してウインチ２６および収納かご２７を簡単に装着できる。例えば、最上段足場板５１等で保守作業時に必要な部材、工具、蛍光灯などの物体を上げ下ろしする場合、この物体を収納かご２７に収納した後、ウインチ２６を操作して収納かご２７を昇降させることにより、簡単に、かつ安全に最上段足場板５１等で必要な物体を入手できる。
【００６４】
なお、本実施形態にあっては、下方エスカレータ１より約８ｍ上方の上方エスカレータ２の底面に設けられる照明灯１６などの保守作業を行なう場合について説明したが、本発明はこれに限定されることなく、他の応用例が考えられる。例えば、下端部組立枠３５と、１つのみの中間部組立枠３６と、上端部組立枠３７とを組み合わせれば、下方エスカレータ１より約４．６ｍ上方の上方エスカレータ２の底面に設けられる機器の保守作業を行なうことができる。また、下端部組立枠３５と、２個の中間部組立枠３６、３６Ａと、上端部組立枠３７とを組み合わせれば、下方エスカレータ１より約６．８５ｍ上方の上方エスカレータ２の底面に設けられる機器の保守作業を行なうことができる。さらに、高さの異なる複数個の下端部組立枠と、高さの異なる複数個の中間部組立枠と、高さの異なる複数個の上端部組立枠とを用意しておき、これらの適宜組み合わせることにより、下方エスカレータより上方エスカレータまでの高さが異なる多数の現場に対応することができる。さらに、それぞれ１種類の下端部組立枠および中間部組立枠と、高さの異なる複数個の上端部組立枠とを用意しておき、これらの適宜組み合わせることによっても、下方エスカレータより上方エスカレータまでの高さが異なる多数の現場に対応することもできる。
【００６５】
さらに、本実施形態にあっては、下方エスカレータ１の踏段９上に高所作業足場装置１８を設置する場合について例示したが、本発明はこれに限定されることなく、下端部組立枠３５のアップ側支持脚３８の下端をジャッキなどの高さ調整装置で支えるようにすれば、建物の階段に高所作業足場装置１８を設置でき、建物の階段部分の天井に設けた照明装置などの機器あるいはその機器が取付けられる部分等の清掃、点検、改修、交換などの保守作業が行なえる。
【００６６】
さらに、本実施形態にあっては、下端部組立枠３５のダウン側支持脚３９の下端と、下方エスカレータ１の中間トラス４とにワイヤを張設することにより、保守作業時における高所作業足場装置１８の転倒防止をより確実に図れる。
【００６７】
さらに、本実施形態にあっては、下端部組立枠３５、中間部組立枠３６、３６Ａ、３６Ｂおよび上端部組立枠３７をそれぞれ鋼管から形成したが、本発明はこれに限定されることなく、強度の比較的大きい材質であれば合成樹脂製であってもよい。
【００６８】
さらに、本実施形態にあっては、第１転倒防止ポール装置５３の第１揺れ防止部材５８、５９および第１弾性部材６０、６１と、第２転倒防止ポール装置５４の第２揺れ防止部材６３、６４および第２弾性部材６５、６６とを管状に形成したが、本発明はこれに限定されることなく、平板状に形成してもよく、例えば、第１揺れ防止部材５８、５９および第２揺れ防止部材６３、６４の垂直部分を鋼材製の板としてその板の両面にゴムなどからなる平板状の弾性体を貼着してもよい。このような平板状の弾性体によれば、上方エスカレータ２の外側板２Ｃ、２Ｄと隣接する他の上方エスカレータの外側板、あるいは建物の壁との隙間が小さくても、その隙間に挿入することができる。
【００６９】
さらに、本実施形態にあっては、上端部組立枠３７の最上段足場板５１と中間部組立枠３６Ｂの足場板４８とからなる上下２段の作業床を形成し、足場板４８から最上段足場板５１までの上下方向の距離を一定としたが、最上段足場板５１の取付位置を調整することにより足場板４８から最上段足場板５１までの上下方向の距離を変えるようにしてもよい。これにより、作業者の身長に合わせた最適な高さ位置に最上段足場板５１を設置でき、保守作業の効率をより向上できる。
【００７２】
【発明の効果】
本発明によれば、アップ側支持脚の下端を踏段の前輪軸に固定することにより、下端部組立枠を下方エスカレータと連動させることができるとともに、踏段の段差に合わせてダウン側支持脚の下端の高さ調整装置を作動させることにより下端部組立枠を所定の状態を保つことができ、この状態で、エスカレータの踏段上で組み立てた高所作業足場装置を解体することなく、かつ、その高所作業足場装置を転倒させることなく、踏段と一緒に移動させることができる。
【００７３】
特に、本発明の請求項１に係る発明によれば、下端部組立枠、中間部組立枠および上端部組立枠の乗降口床側に設けた補助足場装置に作業者が乗り込むことにより、下方エスカレータの踏段から離れた乗降口床の上方における高所で照明装置などの保守作業を行なえる。
【００７４】
また、本発明の請求項２に係る発明によれば、保守作業に使用した後、下端部組立枠、中間部組立枠および上端部組立枠をそれぞれ構成部材毎に分解できるので簡単に解体でき、運搬に便利である。
【図面の簡単な説明】
【図１】本発明の一実施形態に係る高所作業足場装置の説明図である。
【図２】図１の高所作業足場装置とともに用いられる親綱固定架台の正面図である。
【図３】親綱固定架台の側面図である。
【図４】図１の高所作業足場装置の構成を示す側面図である。
【図５】図１の高所作業足場装置の構成を示す正面図である。
【図６】本実施形態に設けられる下端部組立枠の側面図である。
【図７】本実施形態に設けられる下端部組立枠および中間部組立枠の側面図である。
【図８】本実施形態に設けられる中間部組立枠および上端部組立枠の側面図である。
【図９】本実施形態に設けられる上端部組立枠の側面図である。
【図１０】上端部組立枠の正面図である。
【図１１】上端部組立枠の斜視図である。
【図１２】下端部組立枠に設けられるアップ側支持脚の下部の正面図である。
【図１３】アップ側支持脚の下部を拡大して示す側面図である。
【図１４】図１の高所作業足場装置の上端部で保守作業を行なう状態を示す説明図である。
【図１５】図１の高所作業足場装置に設けられる補助足場装置の側面図である。
【符号の説明】
１  下方エスカレータ
２  上方エスカレータ
９  踏段（階段状通路）
９Ａ  前輪軸
１８  高所作業足場装置
３５  下端部組立枠
３６、３６Ａ、３６Ｂ  中間部組立枠
３７  上端部組立枠
３８  アップ側支持脚
３９  ダウン側支持脚
４０  布枠
４０Ａ  水平補強部材
４１  斜め補強部材
４２  足場板
４２Ａ  昇降口
４３  高さ調整装置
４４  アップ側中間支持脚
４５  ダウン側中間支持脚
４６  斜め補強部材
４７  布枠
４７Ａ  水平補強部材
４８  足場板
４８Ａ、４８Ａ−１、４８Ａ−２  昇降口
４９  アップ側最上段支持脚
５０  ダウン側最上段支持脚
５１  最上段足場板
５１Ａ  昇降口
５２  手摺枠
５２Ａ  水平手摺枠部
５２Ｂ  傾斜手摺枠部
５３、５４  転倒防止ポール装置
５５  水平手摺棒
７０、７１  吊りワイヤ
７３  補助足場装置
７４  補強脚
７５  乗降口床
【図１】
0003640835.tif 000002
【図２】
0003640835.tif 000003
【図３】
0003640835.tif 000004
【図４】
0003640835.tif 000005
【図５】
0003640835.tif 000006
【図６】
0003640835.tif 000007
【図７】
0003640835.tif 000008
【図８】
0003640835.tif 000009
【図９】
0003640835.tif 000010
【図１０】
0003640835.tif 000011
【図１１】
0003640835.tif 000012
【図１２】
0003640835.tif 000013
【図１３】
0003640835.tif 000014
【図１４】
0003640835.tif 000015
【図１５】
0003640835.tif 000016